(57)【特許請求の範囲】
【請求項１】
複数の乗場操作盤に接続された既設群管理装置と、それぞれ上記既設群管理装置に接続された複数の既設エレベータ制御装置に接続された複数の既設エレベータかごとを備えた既設のエレベータにおいて、上記複数の既設エレベータ制御装置及び上記複数の既設エレベータかごを、複数の新規エレベータ制御装置及び複数の新規エレベータかごにリニューアルするためのエレベータのリニューアル方法であって、
上記複数の既設エレベータ制御装置に、リレー盤およびＩ／Ｏ盤を備えた中継装置を介して、新規乗場操作盤に接続された新規群管理装置を接続して、上記複数の既設エレベータかごを上記新規群管理装置によって稼動できるようにし、その後、上記既設群管理装置及び上記乗場操作盤を撤去する工程と、
上記複数の新規エレベータかごを、上記中継装置を介することなく上記新規群管理装置に接続し、上記複数の新規エレベータかごを上記新規群管理装置によって稼動できるようにした後に、上記複数の既設エレベータかご及び上記複数の既設エレベータ制御装置を、上記複数の新規エレベータかご及び上記複数の新規エレベータ制御装置で置換し、当該置換を、一台ずつエレベータかごの台数分繰り返しておこなう工程と、
全ての、上記複数の既設エレベータかご及び上記複数の既設エレベータ制御装置を、上記複数の新規エレベータかご及び上記複数の新規エレベータ制御装置で置換した後に、上記中継装置を撤去する工程と、
を備えたことを特徴とするエレベータのリニューアル方法。
【請求項２】
上記リレー盤は、上記複数の既設のエレベータ制御装置と上記新規群管理装置とを接続するため、上記複数の既設のエレベータ制御装置への呼びの信号をリレーによって、無電圧接点に変更するためのものであり、
上記Ｉ／Ｏ盤は、上記リレー盤の無電圧接点を上記新規群管理装置に入出力するためのＩ／Ｏ基板を備えたものであることを特徴とする請求項１に記載のエレベータのリニューアル方法。
【請求項３】
上記新規群管理装置は、上記新規乗場操作盤から入力される呼びを通信基板とＣＰＵ基板で通信して、上記通信基板から出力し、上記リレー盤のリレーをＯＮさせ、上記リレー盤のリレーがＯＮすることで、上記既設エレベータ制御装置に呼びの割り当て信号を出力して、上記既設エレベータかごを動かすものであることを特徴とする請求項１または２に記載のエレベータのリニューアル方法。
【発明の詳細な説明】
【技術分野】
【０００１】
この発明は、エレベータのリニューアル方法に関するものであり、特に群管理された複数のかごを持つ既存のエレベータ装置に適用できるエレベータのリニューアル方法に関するものである。
【背景技術】
【０００２】
エレベータの製品寿命は２０年以上と長いが、その間に様々な技術が進歩する。エレベータも新しい技術が開発されることで、省エネやエレベータの新機能で利用者の利便性が向上したり、エレベータの運転効率がよくなることで利用者の待ち時間が短くなるなど、エレベータをリニューアルしたい要求がある。また、エレベータを改修する場合、改修過渡期にエレベータの運転効率を落とさずに改修したい要求もある。【０００３】
これらの要求に対して提案されているエレベータの改修方法として、既設群管理装置と新規群管理装置を接続するための装置を用いて、既設エレベータを新規エレベータに交換するときのエレベータ全体のサービスの低下が最小限となるようにして改修することが提案されている（例えば特許文献１参照）。
【先行技術文献】
【特許文献】
【０００４】
【特許文献１】特開２００８−１５６１１７
【発明の概要】
【発明が解決しようとする課題】
【０００５】
しかしながら、この改修方法によっても既設群管理装置を新規群管理装置に接続するために、改修過渡期に一定期間は群管理機能を止める必要があり、エレベータの稼動効率が低下してしまうという不都合があった。【０００６】
従ってこの発明の目的は、群管理された複数のかごを持つ既存のエレベータ装置に適用できて、エレベータの稼動効率の低下が僅かですむエレベータのリニューアル方法を提供することである。
【課題を解決するための手段】
【０００７】
この発明によれば、複数の乗場操作盤に接続された既設群管理装置と、それぞれ上記既設群管理装置に接続された既設エレベータ制御装置に接続された複数の既設エレベータかごとを備えた既設のエレベータをリニューアルするためのエレベータのリニューアル方法であって、上記既設エレベータ制御装置に、リレー盤およびＩ／Ｏ盤を備えた中継装置を介して、新規乗場操作盤に接続された新規群管理装置を接続して、上記既設エレベータかごを上記新規群管理装置によって稼動できるようにし、上記既設群管理装置を上記乗場操作盤とともに撤去する工程と、上記既設エレベータかごを上記既設エレベータ制御装置と共に新規エレベータかごおよび新規エレベータ制御装置で置換し、上記中継装置に接続して、上記新規エレベータかごを上記新規群管理装置によって稼動できるようにする工程とを備えたことを特徴とするエレベータのリニューアル方法が得られる。
【発明の効果】
【０００８】
この発明によれば、改修過渡期にエレベータ全体のサービスをそこなわずに新規システムの群管理のエレベータに交換することができ、エレベータの運転効率を落とさずにエレベータを改修することができるエレベータのリニューアル方法が得られる。
【図面の簡単な説明】
【０００９】
【図１】この発明のエレベータのリニューアル方法を適用できる群管理エレベータのエレベータ構成図である。（実施例１）
【図２】図１のエレベータに中継装置を介して新規群管理装置と新規乗場床操作盤とを接続した様子を示す構成図である。（実施例１）
【図３】図２のエレベータから旧群管理装置および旧乗場操作盤を撤去し、新規エレベータかごを新規エレベータ制御装置と共に接続した様子を示す構成図である。（実施例１）
【図４】図３のエレベータから中継装置および旧エレベータかごを旧制御装置と共に撤去してリニューアルが完了した様子を示すこの発明の実施のエレベータ構成図である。（実施例１）
【図５】この発明のエレベータのリニューアル方法を示すフローチャートである。（実施例１）
【発明を実施するための形態】
【００１０】
以下、この発明の実施の形態について説明する。
【実施例１】
【００１１】
図１には、この発明のエレベータのリニューアル方法を適用できる改修前の群管理エレベータの一例を示す。図１において、リニューアルすべき既設のエレベータ１は、複数の既設乗場操作盤２に接続された既設群管理装置３と、それぞれ既設群管理装置３にパラレル線４によって接続された既設エレベータ制御装置５に接続された複数の既設エレベータかご６とを備えている。このような既設のエレベータ１においては、既設群管理装置３が既設乗場操作盤２で登録された呼びを既設エレベータ制御装置５に割り当て、既設エレベータかご６が群管理されて運転される。図示の例では既設エレベータかご６は２台だけであるが、この発明は群管理される複数台の既設エレベータかご６を持つエレベータのリニューアル方法として適用できる。【００１２】
次に、図２に示すように、図１に示す既設エレベータ制御装置５に、リレー盤７およびＩ／Ｏ盤８を備えた中継装置９を介して、新規乗場操作盤１０に接続された新規群管理装置１１を接続して、既設エレベータかご６を新規群管理装置１１によって稼動できるようにする。この工程は図５に工程Ｓ１として示されている。このとき、既設群管理装置３は既設乗場操作盤２とともに撤去することもできる。あるいは新規乗場操作盤１０を既設乗場操作盤２が設置されている位置とは別の位置、例えば乗場出入口の左右の反対側の位置に設けるなどして並置しておき、リニューアル作業を昼夜に分けて行う必要がある場合などに既設乗場操作盤２と新規乗場操作盤１０とを使い分けることもできる。この状態はエレベータのリニューアル作業の第１段階である改修過渡期１である。【００１３】
新規群管理装置１１は、シリアル線１２によって中継装置９のＩ／Ｏ盤８に接続されたＣＰＵ基板１３と、ＣＰＵ基板１３にシリアル線１４で接続された通信基板１５とを備えており、通信基板１５はシリアル線１６によって新規乗場操作盤１０に接続されている。中継装置のリレー盤７と既設エレベータかご６とはパラレル線１７によって接続され、リレー盤７とＩ／Ｏ盤８とはパラレル線１８によって接続される。【００１４】
図２に示す状態においては、図１に示す既設のエレベータ１をリニューアルするために新規群管理装置１１が設置され、またこの新規群管理装置１１で既設エレベータかご６を動かすためのリレー盤７およびＩ／Ｏ盤８を備えた中継装置９が設置されている。リレー盤７は、既設エレベータ制御装置５と新規群管理装置１１とを接続するために、既設エレベータ制御装置５への呼びなどの信号をリレーによって、無電圧接点に変更するためのものであり、Ｉ／Ｏ盤８はリレー盤７の無電圧接点を新規群管理装置１１に入出力するためのＩ／Ｏ基板を設置するものである。【００１５】
新規群管理装置１１は、新規乗場操作盤１０から入力される呼びを通信基板１５とＣＰＵ基板１３とで通信して、Ｉ／Ｏ盤８から出力し、リレー盤７のリレーをＯＮさせる。リレー盤７のリレーがＯＮすることで、既設エレベータ制御装置５に呼びの割り当て信号などを出力して、既設エレベータかご６を動かすことができる。【００１６】
また既設エレベータ制御装置５からは、エレベータかご６からの位置信号などの必要な信号をリレー盤７に出力し、リレー盤７のリレー接点をＩ／Ｏ盤８で入力する。入力した信号は、Ｉ／Ｏ盤８とＣＰＵ基板１３で通信して、新規群管理装置１１に入力することで、既設エレベータかご６を制御することができる。【００１７】
このように、図２の状態では、新規群管理装置１１と既設エレベータ制御装置５がリレー盤７およびＩ／Ｏ盤８を備えた中継装置９によって接続されたことにより、新規群管理装置１１が既設エレベータかご６を群管理で動かすことが可能となり、既設群管理装置３と既設乗場操作盤２を取り外すことができる。この工程は図５の工程Ｓ２として示されている。【００１８】
従って、エレベータのリニューアル作業における改修過渡期においても、エレベータの運転を停止しなければならない時間が短くて済む。また、エレベータのリニューアル作業が数日に亘るような場合にも、リニューアル作業は乗客の無い夜間にだけ行い、乗客へのサービスの必要な昼間は、新規群管理装置１１および新規乗場操作盤１０によって既設エレベータかご６を操作して稼動させ、エレベータの実質的な運転効率の低下を防ぐことができる。【００１９】
図３においては、図２に示す新規群管理装置１１にそれぞれ新規エレベータかご１９が接続された新規エレベータ制御装置２０を接続して、新設エレベータかご１９を新規群管理装置１１によって稼動できるようにされている状態が示されている。また、既設エレベータ制御装置５および既設エレベータかご６は、後に説明するようにこの段階で撤去されるものであるので想像線で示されている。この状態はエレベータのリニューアル作業の第２段階である改修過渡期２である。【００２０】
図３において、図２に示す改修過渡期１で設置した新規群管理装置１１および新規乗場操作盤１０によって既設エレベータかご６の運転ができるようにされているので、これらの複数の既設エレベータかご６のうち、いずれか一台を対応する既設エレベータ制御装置５と共に撤去して、新規エレベータかご１９および新規エレベータ制御装置２０を設置することにより交換していく。新たに設置された新規エレベータかご１９はシリアル線２１によって新規エレベータ制御装置２０に接続し、この新規エレベータ制御装置２０はシリアル線２２によって新規群管理装置１１の通信基板１５に接続する。この交換作業を一台ずつエレベータかごの台数分繰り返しておこなうと、既設エレベータかご６に代わって設置された新規エレベータかご１６を新規群管理装置１１によって群管理で運転することができるようになる。この工程は図５の工程Ｓ３として示されている。【００２１】
図４は、このようにして全ての既設エレベータかご６が対応する既設エレベータ制御装置５と共に新規エレベータかご１９および新規エレベータ制御装置２０によってリニューアルされた状態を示すものである。図４に示すように、すべてのリニューアル作業が完了すると、新規群管理装置１１により新規乗場操作盤１０で登録された呼びを新規エレベータ制御装置２０に割り当て、新規エレベータかご１９を群管理運転することができるようになる。また、不要となったリレー盤７およびＩ／Ｏ盤８を備えた中継装置９を取り外す。この中継装置９は、リニューアル改修工事のための道具として、他の物件の改修工事にも同様に使うことができるので、物件毎に制作する必要がないため、環境にも配慮したエレベータの改修方法といえる。この工程は図５の工程Ｓ４として示されており、中継装置９の撤去作業が終わればエレベータのリニューアル作業は完了する（図５の工程Ｓ５）。【００２２】
以上の説明から明らかな通り、この発明のエレベータのリニューアル方法によれば、リニューアル作業において、エレベータ全体のサービスをそこなわずに新規システムの群管理のエレベータに交換することができ、エレベータを長く停止させてエレベータの運転効率を低下させることなしに、新規エレベータにリニューアルすることが可能となる。【００２３】
以上に図示して説明した装置は単なる例であって様々な変形が可能であり、またそれぞれの具体例の特徴を全てあるいは選択的に組み合わせて用いることもできる。
【産業上の利用可能性】
【００２４】
この発明はエレベータのリニューアル方法に利用できるものである。
【符号の説明】
【００２５】
１  エレベータ、２  既設乗場操作盤、３  既設群管理装置、４  パラレル線、５  既設エレベータ制御装置、６  既設エレベータかご、７  リレー盤、８  Ｉ／Ｏ盤、９  中継装置、１０  新規乗場操作盤、１１  新規群管理装置、１２  シリアル線、１３  ＣＰＵ基板、１４  シリアル線、１５  通信基板、１６  シリアル線、１７  パラレル線、１８  パラレル線、１９  新規エレベータかご、２０  新規エレベータ制御装置、２１  シリアル線、２２  シリアル線。
【図１】
0005575127.tif 000002
【図２】
0005575127.tif 000003
【図３】
0005575127.tif 000004
【図４】
0005575127.tif 000005
【図５】
0005575127.tif 000006